(57)【要約】【課題】標示部としての貫通孔を開設して、標示部を設けるために行うシルク印刷の工程を廃止して標示部を設ける費用を削減すると共に、貫通孔を開設するために金型に設けられるピンの耐久性を向上させて、金型が早期に使用不可能になることを防止することができる電気機器を提供する。【解決手段】ＤＶ端子５７の向きを標示するために、アース部材としての螺子８を挿入するアース孔に連ねて、ＤＶ端子５７の向きを標示する標示部としての貫通孔２９を挿入板部２ａに開設して、貫通孔２９を開設するために金型に設けられるピンがアース孔を開設するためのピンに連なるように構成した。【選択図】図４
2008131003.tif 000002
【特許請求の範囲】
【請求項１】
ケーブルに接続可能な接続端子と、該接続端子を外部に露出する窓部が設けてあり、該接続端子の周囲を覆うカバーとを備え、該カバーには、前記接続端子の向きを標示する標示部が設けてある電気機器において、
前記カバーに、前記接続端子に設ける部品を挿入する部品孔が開設してあり、前記標示部は、前記部品孔に連なっている貫通孔であることを特徴とする電気機器。
【請求項２】
前記貫通孔の縁部の形状は、先端を前記接続端子側に向けてある尖形となっていることを特徴とする請求項１に記載の電気機器。
【請求項３】
前記部品孔はアース部材を挿入するアース孔であることを特徴とする請求項１又は２に記載の電気機器。
【発明の詳細な説明】
【技術分野】
【０００１】
本発明は、接続端子の向きを示す標示部を簡素な構成にすることにより、製造費用を低減することができる電気機器に関する。
【背景技術】
【０００２】
従来から金属、ガラス、布等様々な対象物に印字するために、シルク印刷が行われてきた。シルク印刷は、印刷に使用する版が柔軟で曲面に印刷できること、高い印圧が不要なこと、また多種類のインクを使用することができること等の利点を有している。
【０００３】
従来の電気機器にあっては、電気機器の操作ボタン又は接続端子の機能・名称を標示するために、操作ボタン又は接続端子の近傍にて、前記機能・名称をシルク印刷により印字しており、また接続端子が小型で、例えば近眼により接続端子の詳細な形状を肉眼で認識することができない場合に備えて、接続端子の上下の向きを標示する記号をシルク印刷により印字していた。
【０００４】
この電気機器は、操作ボタン又は接続端子の機能・名称及び接続端子の向きを標示する記号をシルク印刷で印字することにより、印字を見て、操作ボタンの操作及び接続端子への接続ケーブルの接続を行えるようにしてあり、使い易さを向上させてある（特許文献１参照）。
【０００５】
また接続端子が小型で、接続端子の詳細な形状を肉眼で認識することができない場合に備えて、電気機器に接続端子の向きを標示する記号として小孔を開設することが考えられる。この電気機器にあっては、金型に小径のピンを設けて小孔を開設することにより、シルク印刷の工程を削減し、電気機器の製造時間の短縮を図ることができる。
【特許文献１】特開２００５−２０９３１９号公報
【発明の開示】
【発明が解決しようとする課題】
【０００６】
さて、特許文献１の電気機器にあっては、シルク印刷により接続端子の向きを標示する記号等を印字しているところ、シルク印刷では消耗品であるインクを使用しているので、シルク印刷に必要な費用を大幅に削減することは困難であり、シルク印刷は電気機器の製造費用の低減を妨げているという問題点があった。
【０００７】
前記接続端子の向きを標示する記号を小孔とする電気機器にあっては、シルク印刷を行う必要がなく、電気機器の製造費用の低減を促進することができるが、金型で前記小孔を開設する場合には、金型に小径のピンを設ける必要があり、小径のピンの耐久性は金型の他の部分に比して低く、金型の使用を開始してから早期に該ピンが破損し、金型が使用不可能になる虞があった。
【０００８】
本発明は斯かる事情に鑑みてなされたものであり、接続端子の向きを標示する貫通孔を接続端子に取付ける部品を挿入する部品孔に連ねて設けることにより、金型に設けられた貫通孔を開設するピンを、部品孔を開設するピンに連ねて、貫通孔を開設するピンの耐久性を向上させることができる電気機器を提供することを目的とする。
【０００９】
また貫通孔の縁部の形状を、先端を接続端子側に向けてある尖形とすることにより、貫通孔によって接続端子の特定部位が示され、接続端子の詳細な形状を肉眼で認識できるか否かに拘らず、貫通孔を見て接続端子の向きを確認することができる電気機器を提供することを目的とする。
【００１０】
またノイズ電流の影響を受け易いデジタル信号が入出力される接続端子の近傍に開設してあって、アース部材を挿入するための孔に、貫通孔を連ねて開設することにより、該貫通孔を前記接続端子に近接して配置できる電気機器を提供することを目的とする。
【課題を解決するための手段】
【００１１】
本発明に係る電気機器は、ケーブルに接続可能な接続端子と、該接続端子を外部に露出する窓部が設けてあり、該接続端子の周囲を覆うカバーとを備え、該カバーには、前記接続端子の向きを標示する標示部が設けてある電気機器において、前記カバーに、前記接続端子に設ける部品を挿入する部品孔が開設してあり、前記標示部は、前記部品孔に連なっている貫通孔であることを特徴とする。
【００１２】
本発明においては、接続端子に取付ける部品を挿入する部品孔に、例えば山形の縁部を有する貫通孔を連ねることにより、接続端子の向きを標示する。
【００１３】
また本発明に係る電気機器は、前記貫通孔の縁部の形状は、先端を前記接続端子側に向けてある尖形となっていることを特徴とする。
【００１４】
本発明にあっては、貫通孔の縁部の形状を、先端を接続端子側に向けてある尖形とすることにより、貫通孔によって接続端子の特定部位が示され、接続端子の向きが明確に標示される。
【００１５】
また本発明に係る電気機器は、前記部品孔はアース部材を挿入するアース孔であることを特徴とする。
【００１６】
本発明にあっては、デジタル信号はノイズ電流の影響を受け易いので、デジタル信号が入出力される接続端子の近傍に、アース部材を挿入するアース孔が設けられる場合があり、該アース孔に貫通孔を連ねることにより、該貫通孔は接続端子に近接して配置され、貫通孔が接続端子の特定部位を示して接続端子の向きを明確に標示する。
【発明の効果】
【００１７】
本発明に係る電気機器においては、接続端子に取付ける部品を挿入する部品孔に貫通孔を連ねることにより、接続端子の向きを貫通孔で標示するので、シルク印刷を行う工程を廃止して電気機器の製造費用を低減することができ、また貫通孔を開設するために金型に設けられたピンは、部品孔を開設するためのピンに連なり耐久性が向上し、金型が早期に使用不可能になることを防止することができる。
【００１８】
また本発明に係る電気機器においては、貫通孔の縁部の形状を、先端を接続端子側に向けてある尖形とすることにより、貫通孔によって接続端子の特定部位が示され、接続端子の向きが明確に標示されるので、接続端子にケーブルを接続する場合であって、該接続端子が小型で詳細な形状を肉眼で認識することが困難なときに、貫通孔を見て接続端子の向きを確認し、ケーブルの向きを接続端子の向きに整合させて、接続端子にケーブルを容易に接続することができる。
【００１９】
また本発明に係る電気機器においては、デジタル信号はノイズ電流の影響を受け易いので、デジタル信号が入出力される接続端子の近傍に、アース部材を挿入するアース孔が設けられる場合があり、該アース孔に貫通孔を連ねることにより、該貫通孔は接続端子に近接して配置され、貫通孔が接続端子の特定部位を示して接続端子の向きを明確に標示するので、貫通穴を見て接続端子の向きを確認し、ケーブルの向きを接続端子の向きに整合させて、ケーブルを接続端子に容易に接続することができる。
【発明を実施するための最良の形態】
【００２０】
以下本発明に係る電気機器を実施の形態を示す図面に基づいて詳述する。図１は本発明に係る電気機器の一例である薄型テレビを背面下側から見た斜視図、図２は薄型テレビの端子挿入部を示す斜視図、図３は端子挿入部に端子を挿入した状態を示す斜視図、図４はＤＶ端子付近を示す拡大斜視図である。
【００２１】
図において、１は薄型テレビの筐体であり、該筐体１は、図示しない矩形板状の表示部を正面にて支持している。筐体１の背面部は、回路基板５が収容される矩形トレー状の外方への膨出部を有している。該膨出部の一側面は矩形の開口を有しており、該開口には後述するカバー２が設けてある。
【００２２】
筐体１の内部には、矩形状の載置板３が収容されており、該載置板３の上に立設されているスペーサ４、４、・・・を介して、回路基板５が載置板３に対向して載置されている。
【００２３】
前記回路基板５に、複数のアナログ端子５１、５１、・・・、デジタル信号の入出力が可能なＤＶＩ−Ｉ端子５２、非圧縮のデジタルデータが入出力されるＨＤＭＩ端子５３、５３、電話回線に接続する電話回線端子５４、ＬＡＮに接続するＬＡＮ端子５５、シリアル接続のためのシリアル端子５６、動画の圧縮デジタルデータが入出力されるＤＶ端子５７、５７が実装してある。
【００２４】
該ＤＶ端子５７の先端部分は、一側面を内側に窪ませてなる凹部５７ａを有する略矩形の筒になっている。また前記ＤＶ端子５７は他の端子に比して小型である。
【００２５】
前記カバー２は外側表面を黒に塗装されており、端子を挿入する複数の端子孔が開設してある矩形の挿入板部２ａと、該挿入板部２ａの二つの長手縁部にて挿入板部２ａに対し直角に連ねてあって、それぞれ反対方向に延出している矩形の固定板部２ｂ、２ｂとを備える。固定板部２ｂの一方は前記開口の膨出側に位置し、他方は、前記開口の非膨出側に位置する。前記挿入板部２ａは固定板部２ｂ、２ｂの間にて、前記開口の中央に位置する。
【００２６】
筐体１の前記開口付近及び前記固定板部２ｂ、２ｂのそれぞれに、互いに対応する複数の孔が開設されており、該孔に螺子を挿通し、固定板部２ｂ、２ｂを筐体１に螺着させて、カバー２を前記開口に取付ける。
【００２７】
前記挿入板部２ａには、アナログ端子孔２１、２１、・・・、ＤＶＩ−Ｉ端子孔２２、ＨＤＭＩ端子孔２３、２３、電話回線端子孔２４、ＬＡＮ端子孔２５、シリアル端子孔２６及びＤＶ端子孔２７、２７が開設してあり、前記アナログ端子５１、５１、・・・、ＤＶＩ−Ｉ端子５２、ＨＤＭＩ端子５３，５３、電話回線端子５４、ＬＡＮ端子５５、シリアル端子５６及びＤＶ端子５７、５７が、前記各端子孔にそれぞれ挿入される。
【００２８】
前記ＤＶ端子孔２７、２７の近傍に、アース部材としての螺子８が挿入されるアース孔２８、２８が開設してある。該アース孔２８、２８及び前記ＤＶ端子孔２７、２７の間にて、尖形の山形縁部を有する貫通孔２９、２９が、該アース孔２８、２８に連なって一体に開設されている。
【００２９】
前記アース孔２８に前記螺子８が挿入されると、アース孔２８は螺子８の頭部で覆われ、アース孔２８は外部から視認されないが、前記貫通孔２９の山形縁部の先端部分は前記頭部の外側に位置するので、前記山形縁部の先端部分は外部から視認される。
【００３０】
前記ＤＶ端子５７が前記ＤＶ端子孔２７に挿入されると、前記ＤＶ端子５７の凹部５７ａは、前記貫通孔２９の山形の先端部分に近接して配置される。
【００３１】
貫通孔２９を通して、ＤＶ端子５７に施してある銀白色の金属メッキが視認される。また貫通孔２９はプレス加工により開設されるので、前記山形縁部の色彩は、前記カバー２の素材の色彩である銀白色となっている。カバー２の外側表面は黒に塗装してあるので、銀白色の貫通孔２９の形状は、色彩の対照性により外部から明確に視認され、前記貫通孔２９の山形の先端部分により前記凹部５７ａの位置が示され、ＤＶ端子５７の上下の向きが明確に標示される。
【００３２】
接続ケーブルを、アナログ端子５１、５１、・・・、ＤＶＩ−Ｉ端子５２、ＨＤＭＩ端子５３、５３、電話回線端子５４、ＬＡＮ端子５５及びシリアル端子５６に接続するときは、必要に応じて、それぞれの端子の形状を見て端子の向きを確認し、接続ケーブルの向きを端子の向きに整合させて接続する。
【００３３】
ＤＶ端子５７、５７は他の端子に比べて小型であり、ＤＶ端子５７、５７の概形を肉眼で認識することはできるが、詳細な形状を肉眼で認識することは困難であるので、ＤＶ端子５７、５７に接続ケーブルを接続するときは、前記貫通孔２９の山形の先端部分を見て凹部５７ａの位置を確認し、ＤＶ端子５７、５７の上下の向きを確認する。そして接続ケーブルの向きをＤＶ端子５７、５７の向きに整合させて接続する。
【００３４】
実施の形態に係る薄型テレビにおいては、アース孔２８に連なる貫通孔２９を開設することにより、ＤＶ端子５７の向きが貫通孔２９で標示され、シルク印刷を行う工程を廃止して薄型テレビの製造費用を低減することができ、また貫通孔２９を開設するために金型に設けられたピンは、アース孔２８を開設するためのピンに連なり耐久性が向上し、使用開始後早期に金型が使用不可能になることを防止できる。
【００３５】
また貫通孔２９の縁部の形状を尖形にすることにより、ＤＶ端子５７の凹部５７ａの位置が示されて、ＤＶ端子５７の向きが明確に標示される。したがってＤＶ端子５７に接続ケーブルを接続する場合であって、ＤＶ端子５７の詳細な形状を肉眼で認識することが困難なときに、貫通孔２９を見てＤＶ端子５７の向きを確認し、接続ケーブルの向きをＤＶ端子５７の向きに整合させて、ＤＶ端子５７に接続ケーブルを容易に接続することができる。
【００３６】
また貫通孔２９をアース孔２８に連ねることにより、貫通孔２９はＤＶ端子５７に近接して配置され、貫通孔２９は凹部５７ａの位置を示してＤＶ端子５７の上下の向きを明確に標示することができる。
【００３７】
なお貫通孔２９の形状は、山形形状に限らず、細長い長方形等その他のＤＶ端子５７の向きを標示するのに適した形状であれば良い。また前記山形縁部の先端は丸くても良く、凹部５７ａを示していれば良い。ＤＶ端子５７に施してある金属メッキの素材としては錫、銀又はニッケル等が挙げられ、カバー２の素材としては鉄を含有する合金が挙げられる。
【００３８】
またＤＶ端子孔２７、２７に限らず、ＤＶ端子孔２７、２７に替えて、ＤＶ端子５７、５７を挿入可能な開口部又は開放部を設けても良い。
【図面の簡単な説明】
【００３９】
【図１】本発明に係る電気機器の一例である薄型テレビを背面下側から見た斜視図である。
【図２】本発明に係る電気機器の一例である薄型テレビの端子挿入部を示す斜視図である。
【図３】本発明に係る電気機器の一例である薄型テレビの端子挿入部に端子を挿入した状態を示す斜視図である。
【図４】本発明に係る電気機器の一例である薄型テレビのＤＶ端子付近を示す拡大斜視図である。
【符号の説明】
【００４０】
１  筐体
２  カバー
２ａ  挿入板部
２ｂ  固定板部
８  螺子
２７  ＤＶ端子孔（窓部）
２８  アース孔
２９  貫通孔
５７  ＤＶ端子（接続端子）
５７ａ  凹部
【図１】
2008131003.tif 000003
【図２】
2008131003.tif 000004
【図３】
2008131003.tif 000005
【図４】
2008131003.tif 000006